(57)【要約】【課  題】使用済みのオイルフィルタの外周を円周状に切断分解して、内部のフィルタとオイルを回収し、ケーシングの金属と分別するためのオイルフィルタの簡便な分解装置を提供する。【解決手段】２本の受けローラ上に回転容易に載せたオイルフィルタに、手動回転軸に固定したローレットを当接させて回転させると共に、同軸上に固定した回転刃がオイルフィルタの外周を円周状に切断する。【選択図】図１
2004181611.tif 000002
【特許請求の範囲】
【請求項１】
オイルフィルタの円筒部を載せて回転する複数本の受けローラと、該オイルフィルタの鍔部外周の上部に当接して該オイルフィルタを回転させる回転軸に固定した回転ローラと、該回転軸に同軸に固定した円盤状回転刃と、該回転軸を回転する回転手段とを有し、該回転軸を上下させる上下移動手段によって該回転軸が下げられて該回転ローラが前記鍔部外周へ当接すると該円盤状回転刃が前記オイルフィルタの胴部に食い込むと共に、前記回転軸の回転によって前記オイルフィルタを回転させて前記胴部を円周状に切断することを特徴とするオイルフィルタ円筒缶切断装置。
【請求項２】
前記受けローラに前記鍔部との接触を回避する細径部を設けたことを特徴とする前記請求項１に記載のオイルフィルタ円筒缶切断装置。
【請求項３】
前記鍔部が前記受けローラの端部外側に位置して回転することを特徴とする前記請求項１に記載のオイルフィルタ円筒缶切断装置。
【請求項４】
前記回転手段が前記回転軸に固定された手動回転ハンドルであることを特徴とする前記請求項１、２、３に記載のオイルフィルタ円筒缶切断装置。
【請求項５】
前記上下移動手段が下がって前記円盤状回転刃が前記オイルフィルタの胴部に食い込むと、前記上下移動手段に固定された支持部材に取り付けられた押さえコロが前記オイルフィルタの胴部を回転可能に押さえつけることを特徴とする前記請求項１、２、３、４に記載のオイルフィルタ円筒缶切断装置。
【請求項６】
前記上下移動手段が上下移動ブロックと該上下移動ブロックに取り付けられたリンク装置であって、該リンク装置が該上下移動ブロックに固定された固定ステーと、該上下移動ブロックに上下回転可能に取り付けられるとともに端部にガイドピンを配設した前記回転軸を支持する支持ステーと、前記固定ステーの端部に上下回転可能に取り付けられたレバーと、該レバーに設けられた円弧状長穴で構成され、該円弧状長穴に前記ガイドピンがガイドされて前記支持ステーが上下移動することを特徴とする前記請求項１、２、３、４、５に記載のオイルフィルタ円筒缶切断装置。
【請求項７】
前記上下移動ブロックがネジ機構によって、上下に移動することを特徴とする前記請求項１、２、３、４、５、６に記載のオイルフィルタ円筒缶切断装置。
【発明の詳細な説明】
【０００１】
【発明の属する技術分野】本発明はオイルフィルタの金属筒部を手動で簡便に円周上に切り開いて、オイルフィルタ内のオイルとフィルタを取り出し、分別回収するためのオイルフィルタ手動切断装置に関するものである。
【０００２】
【従来の技術】従来からオイルフィルタは手軽に切断や分解できる装置が無かったため、そのまま燃やしてオイルや内部のフィルタが燃えて金属のみになったものを金属として廃棄処理したり、そのまま産業廃棄物処理業者に引き取られたりして、必ずしも有効に再資源化される状況ではなかった。特に、焼却する場合には有害ガスの発生の問題があったり、廃棄処理されたりする場合にはオイルによる環境汚染の問題等があったが、環境対策の必要性や資源有効再利用の意識の高まりから、オイルフィルタを手軽に切断や分解できる装置が求められている。
【０００３】
そのため、種々の切断装置が作られて来たが、乗用車用・トラック用・バス用等の多種寸法のオイルフィルタを低コストで手軽に処理できる装置ではなかった。ちなみに、１０種類を超えるオイルフィルタの寸法を調べると、円筒部外径が６５〜１４０ｍｍ、高さが６４〜１２０ｍｍと多種多様な寸法となっている。公知の切断装置を分類してみると、モータ動力を用いた装置タイプでは、装置が大掛かりで寸法も大きくなり、当然コストの高いものとなってしまっていた。逆に、特願平１１−２６０２５８で開示されているハンディータイプでは、オイルフィルタ本体をチャッキングする万力等の装置が必要でであると同時に、オイルフィルタの各種寸法に刃具をアジャストさせ、切断後には取り外す必要があって多くの手順が必要である。また、切断時のオイルの漏れ出しで作業場所を汚しやすいといった問題、あるいは刃部を押し付けるためにギア等の伝達手段を用いているため力の伝達ロスの発生やコスト高を生じてしまう状況にあった。
【０００４】
また、実願平５−１１６８２で開示されている装置では、支持部材と押さえレバーでオイルフィルタを押さえるため、オイルフィルタ回転の抵抗となってしまうため、作業を手軽に行うことが出来ない課題点、あるいは、オイルフィルタの寸法変化にアジャストさせるためカッターの食い込み具合を調節しながら、支持手段を調節しなくてはならなくて必ずしも使い易い装置ではなかった。
【０００５】
【発明が解決しようとする課題】本発明は、オイルフィルタの金属筒部を切り開く装置において従来品は動力を必要としたり、セッティングが容易でなかったり、装置のコストが安価に出来ない等の問題点を解決する簡便で使いやすいオイルフィルタ筒部切断装置を提供するものである。
【０００６】
【課題を解決するための手段】本発明の請求項１記載のオイルフィルタ円筒缶切断装置では、オイルフィルタの胴部を載せて回転する複数本の受けローラと、オイルフィルタの上部の鍔部外周に当接してオイルフィルタを回転させる回転軸に固定した回転ローラと、回転軸に同軸に固定した円盤状回転刃と、回転軸を回転する回転手段とを有し、回転軸を上下させる上下移動手段によって回転軸が下げられて回転ローラが前記鍔部外周へ当接すると円盤状回転刃が前記オイルフィルタの胴部に食い込むと共に、回転軸の回転によってオイルフィルタを回転させて胴部を円周状に切断する。オイルフィルタを容易に安定して装置に装着し、回転軸を下げ回転させるだけの簡単な操作で胴部を円周状に切断する。
【０００７】
本発明の請求項２記載のオイルフィルタ円筒缶切断装置では、受けローラ上に鍔部との接触を回避する細径部を設けたので、オイルフィルタを安定して載せて回転させることができる。
【０００８】
本発明の請求項３記載のオイルフィルタ円筒缶切断装置では、前記鍔部が前記受けローラの端部外側に位置して回転する
【０００９】
本発明の請求項４記載のオイルフィルタ円筒缶切断装置では、回転手段が回転軸に固定された手動回転ハンドルであるので、特に動力を必要としないで簡便な装置を製造し提供できる。
【００１０】
本発明の請求項５記載のオイルフィルタ円筒缶切断装置では、前記上下移動手段が下がって前記円盤状回転刃が前記オイルフィルタの胴部に食い込むと、前記上下移動手段に固定された支持部材に取り付けられた押さえコロが前記オイルフィルタの胴部を回転可能に押さえつける。したがって、オイルフィルタの胴部が浮いて切断が不安定になることが避けられる。
【００１１】
本発明の請求項６記載のオイルフィルタ円筒缶切断装置では、上下移動手段が上下移動ブロックと上下移動ブロックに取り付けられたリンク装置であって、リンク装置が上下移動ブロックに固定された固定ステーと、上下移動ブロックに上下回転可能に取り付けられるとともに端部にガイドピンを配設した回転軸を支持する支持ステーと、固定ステーの端部に上下回転可能に取り付けられたレバーと、レバーに設けられた円弧状長穴で構成され、円弧状長穴に前記ガイドピンがガイドされて支持ステーが上下移動する。
長穴を利用したリンク装置によって、軽い力で回転ローラを鍔部外周へ当接させ、円盤状回転刃をオイルフィルタの胴部に食い込ませることが出来る。また、レバーを上位置で止めることが出来るので、両手を用いてオイルフィルタの装着・取り外しが出来る。
【００１２】
本発明の請求項７記載のオイルフィルタ円筒缶切断装置では、上下移動ブロックがネジ機構によって、上下に移動するので、大きさの異なるオイルフィルタに対して回転ローラと円盤状回転刃を最適位置に容易にセットすることが可能である。
【００１３】
【発明の実施の形態】
以下、発明の実施の形態を図１・図２に基づいて説明する。ベース板１上には２枚のサイド板２が固定されていて、この２枚のサイド板２の間に２本の受けローラ３がローラ軸３ａによって水平で平行に取り付けられている。そして、２本の受けローラ３の中間部上には寸法が異なるオイルフィルタ４が載せられても回転可能になっている。この場合、受けローラ３全体が同径の場合には、オイルフィルタ４の円筒外径より若干径の大きい（径で１〜５ｍｍ）鍔部４ｂが受けローラ３に当たってしまって不安定になるため、鍔部４ｂとの接触を避けるために細径部３ｂを形成させ、オイルフィルタ４の円筒部４ａが受けローラ３に接触するようにしている。
【００１４】
２本の受けローラ３の中間部上で回転するオイルフィルタ４の円筒部４ａの最上部には円盤状回転刃５を食い込ませる構造となっていて、オイルフィルタ４の回転と共に、円筒部４ａの外周を線６のように円周状に切り開いて切断し、オイルフィルタ４が１回転すると、円筒部４ａと鍔部４ｂが切り離される。オイルフィルタ４の回転は、円盤状回転刃５の根元で１体に回転する円盤状回転刃５より小径の回転コロ７を鍔部４ｂに強く接触させて回転させる。そして、円盤状回転刃５と回転コロ７は軸受け８に支持された軸９に固定されているので、ハンドル１０を手で軽く回すだけで、回転コロ７によるオイルフィルタ４の回転と円盤状回転刃５による円筒部４ａの切り開きが行える。この結果、鍔部４ｂに回転コロ７が当接しながら回転し、オイルフィルタ４の円筒部４ａへの円盤状回転刃５食い込み量が一定で安定するため、ハンドル１０を手で回す力がムラ無く安定して操作し易い効果を有している。また、回転コロ７の表面にはローレット等の凹凸や滑り止めを施し、回転コロ７の力が鍔部４ｂへ十分に伝わるようにしているので、スムーズな作業が行える。
【００１５】
本装置では、回転コロ７を鍔部４ｂに強く接触させ、円筒部４ａに円盤状回転刃５を食い込ませるために、リンク機構を利用していて、構造の詳細は以下の内容である。オイルフィルタ４の円筒部４ａの横側方向ベース板１上に鉛直に支柱１１を固定し、支柱１１には上下移動可能に上下移動ブロック１２を組み付けてある。そして、上下移動ブロック１２にねじ込まれていると共にベース板１に回転可能に連結されているネジ１７をハンドル１８で回転させることで、上下移動ブロック１２を簡単に上下させることが出来る。上下移動ブロック１２には軸受け８を支持する支持ステー１３を支持ピン１４で上下方向に回転可能に取り付けすると共に、固定ステー１５を水平に固定ボルト１６で固定している。また、固定ステー１５の上下移動ブロック１２と反対側には、回転ピン１９によってレバー２０を上下方向に回転可能に取り付けし、さらに支持ステー１３の上下移動ブロック１２と反対側にはガイドピン２１が取り付けられている。そして、レバー２０には円弧状長穴２０ａが開いていて、ガイドピン２１が移動可能に差し込まれている。
【００１６】
上記のようなリンク機構によって、レバー２０の握り２０ｂを握って上方向に持ち上げると、ガイドピン２１が長穴２０ａに沿って上方に持ち上げられ、支持ステー１３も支持ピン１４を中心に上方向に回転して、レバー２０が２０Ｘの位置になると、支持ステー１３も１３Ｘの位置まで移動して停止させることができる。そして、支持ステー１３の上方向への回転によって、円盤状回転刃５と回転コロ７がオイルフィルタ４から大きく離れるので、切り離された円筒部４ａと鍔部４ｂを装置から、両手を用いて簡単に取り出すことが出来る。
【００１７】
次に、径の異なるオイルフィルタ４を取り付ける場合を説明する。レバー２０を持ち上げた状態で、新しいオイルフィルタ４を受けローラ３の中間部上に載せる。次に、オイルフィルタ４に対して円盤状回転刃５・回転コロ７が力を強く与え易い最適位置にハンドル１８でネジ１７を回転して上下移動ブロック１２の位置を移動させる。この最適位置をわかり易くするために、支柱１１にオイルフィルタ径に最適な上下移動ブロック１２の位置を示す目印（図示せず）を表示して、容易に位置あわせ可能にしても良い。最適な上下移動ブロック１２の位置が決まり、軽い力でレバー２０を押し下げると、リンク機構によって回転コロ７が鍔部４ｂを強く押し付けられると共に、円盤状回転刃５をオイルフィルタ４の円筒部４ａに食い込ませることが出来る。この状態で、ハンドル１０を手で軽く回すと、回転コロ７によるオイルフィルタ４の回転と円盤状回転刃５による円筒部４ａの切り開きがスムーズに行える。
【００１８】
支柱１１に対する上下移動ブロック１２の上下手段は本実施例のようなネジ１７を利用した方法に限定するものではなく、ラックとピニオンで上下動させたり、単に上下にスライド可能にしたりして、最適な上下移動ブロック１２の位置で支柱１１と上下移動ブロック１２をロックするようにしても良い。また、図２（Ｂ）に示すように受けローラ３Ｘでは鍔部４ｂとの接触を避けるためにローラの細径部を形成せずに受けローラ３Ｘの端部（ローラ軸３ａとの断差部）で鍔部４ｂとの接触を避ける構造としても良い。
【００１９】
さらに、円盤状回転刃５が鍔部４ｂに近い部分、すなわちオイルフィルタ４の円筒部４ａの端部付近に食い込むため、その押し下げる力によってオイルフィルタ４の底部４ｃが持ち上がってしまう場合がある。その対策として、本発明では図２に示すように円筒部４ａの中間部に押さえコロ２４を設けている。押さえコロ２４はオイルフィルタ４を挟み込むように受けローラ３の反対位置に支持ステー１３に固定された支持部材２２・２３に取り付けられている。このため、レバー２０を押し下げて支持ステー１３が支持ピン１４を中心に下方向に回転して、回転コロ７が鍔部４ｂを強く押し付けると共に、円盤状回転刃５がオイルフィルタ４の円筒部４ａに食い込むと、押さえコロ２４が円筒部４ａの中間部を押さえオイルフィルタ４の底部４ｃが持ち上がってしまうのを防止する。この場合、支持部材２２・２３に弾性部材を用いたり、押さえコロ２４を弾性部材で支持したりして、適度の力で円筒部４ａを押さえるようにしても良い。
【００２０】
また、円筒部４ａを切り開くと、オイルがベース板１上に流れ落ちるので、ベース板１の上にオイル回収のためのオイルパン（図示せず）を載せ、このオイルパンにオイルの流れ出るパイプとコック（図示せず）を取り付けて、オイルを流下させるようにしている。そして、本装置を載せた架台の下にオイル回収缶を置いて、コックに接続したチューブからオイル回収缶内にオイルを回収すれば、周囲をオイルで汚染することなく作業が可能となる。さらに、オイルが流れ出たオイルフィルタの円筒部４ａを手で容易に装置から取り出すことができるものである。
【００２１】
【発明の効果】
以上説明したように、本発明のオイルフィルタ円筒缶切断装置ではレバー２０を引き上げるだけで、オイルフィルタ４を簡単に装着できる。また、レバー２０を軽く引き下げるだけで回転コロ７が鍔部４ｂを強く押し付け、押さえコロ２４が円筒部４ａを押すと共に、円盤状回転刃５をオイルフィルタ４の円筒部４ａに食い込ませることができるので、ハンドル１０を手で軽く回すだけでオイルフィルタ４の円筒部４ａの切り開きが行える。従来からのオイルフィルタ円筒缶切断装置のように、オイルフィルタ４の装着に手間が掛かったり、切断に大きな力を要したりすることがなく、また動力を必要とすることなく安価に製作することができる等の多くの利点を有する。
【図面の簡単な説明】
【図１】本発明の実施例を示す図で、（Ａ）正面図、（Ｂ）平面図を示す。
【図２】図１のＡ−Ａ断面矢視図で、（Ａ）段差を有する受けローラがオイルフィルタを載せて、円盤状回転刃が切断している図、（Ｂ）段差の無い受けローラがオイルフィルタを載せて、円盤状回転刃が切断している図。
【符号の説明】
３    受けローラ
４    オイルフィルタ
４ａ  円筒部
４ｂ  鍔部
５    円盤状回転刃
７    回転コロ
９    軸
１０  ハンドル
１１  支柱
１２  上下移動ブロック
１３  支持ステー
１４  支持ピン
１５  固定ステー
１７  ネジ
１８  ハンドル
１９  回転ピン
２０  レバー
２０ａガイド穴
２１  ガイドピン
２２  支持部材
２３  支持部材
２４  押さえコロ
【図１】
2004181611.tif 000003
【図２】
2004181611.tif 000004